(57)【要約】【課題】外観品質がよく、光が拡散反射する方向及び範囲を必要な範囲に設定可能な反射シート、反射スクリーンを提供する。【解決手段】垂直方向の断面形状が略台形形状の光透過部１２とこの光透過部１２に挟まれた光吸収部１３とが垂直方向に並べて形成された光吸収シート１０と、略正弦波形状の断面形状を有した単位表面形状が垂直方向に延在した反射シート２０とを接着層２５により接着して反射スクリーン１とする。また、反射シート２０は、ワイヤー放電加工により加工されたローレット型を用いて、ローレット加工により加工された成形型１００により成形する。【選択図】図２
2008046205.tif 000002
【特許請求の範囲】
【請求項１】
シート面に対して直交する方向の断面形状が半径０．０１ｍｍから０．１ｍｍの曲面部分を有した凹形状を含む表面の形状であって、シート面に対して直交するとともに前記断面と直交する方向に同一断面形状で延在し、前記断面と同一の方向に多数並べて配置された単位表面形状と、
前記単位表面形状上に形成され、反射率を高める反射層と、
を備える反射シート。
【請求項２】
請求項２に記載の反射シートにおいて、
前記単位表面形状は、特定方向の光拡散性を他の方向よりも強めること、
を特徴とする反射シート。
【請求項３】
請求項１又は請求項２に記載の反射シートにおいて、
前記単位表面形状は、正弦波形状であること、
を特徴とする反射シート。
【請求項４】
請求項１から請求項３までのいずれか１項に記載の反射シートにおいて、
前記反射層は、反射率が４０％以上の材料により形成されていること、
を特徴とする反射シート。
【請求項５】
請求項１から請求項４までのいずれか１項に記載の反射シートにおいて、
前記単位表面形状は、ローレット加工により作製された成形型を用いて成形されていること、
を特徴とする反射シート。
【請求項６】
請求項１から請求項５までのいずれか１項に記載の反射シートにおいて、
基材層と、
前記基材層の表面に接合され、前記単位表面形状が賦型された賦型層と、
を有すること、
を特徴とする反射シート。
【請求項７】
請求項６に記載の反射シートにおいて、
前記賦型層は、光硬化型樹脂により形成されていること、
を特徴とする反射シート。
【請求項８】
映像源から投影された映像光を反射させて観察可能にする反射スクリーンであって、
請求項１から請求項７までのいずれか１項に記載の反射シートと、
前記反射シートの前記映像源側に接合される層であって、反射スクリーンに到達する光の一部を吸収する光吸収部を有した光吸収シートと、
を備える反射スクリーン。
【請求項９】
請求項８に記載の反射スクリーンにおいて、
前記反射シートと前記光吸収シートとの間には、接着層が設けられていること、
を特徴とする反射スクリーン。
【請求項１０】
請求項９に記載の反射スクリーンにおいて、
前記接着層は、光線透過率が７０％以上であること、
を特徴とする反射スクリーン。
【請求項１１】
請求項８から請求項１０までのいずれか１項に記載の反射スクリーンにおいて、
前記光吸収シートは、前記光吸収部の間に形成され光を透過する光透過部を有し、前記光吸収部と前記光透過部とが交互に形成されており、
前記光吸収部と前記光透過部とが交互に形成されて並ぶ方向は、前記単位表面形状が並べて配置される方向と直交する方向であること、
を特徴とする反射スクリーン。
【請求項１２】
請求項１１に記載の反射スクリーンにおいて、
前記光透過部は、スクリーン面に対して直交する断面において、裏面側における幅より前記映像源側における幅が広い略台形形状であって、スクリーン面に沿って多数並べて形成された単位プリズム形状であること、
を特徴とする反射スクリーン。
【請求項１３】
請求項１１又は請求項１２に記載の反射スクリーンにおいて、
前記光吸収部は、前記光透過部を形成する材料の屈折率よりも屈折率が低いこと、
を特徴とする反射スクリーン。
【発明の詳細な説明】
【技術分野】
【０００１】
本発明は、前方からの映像光を反射させて観察可能にする反射シート、反射スクリーンに関するものである。
【背景技術】
【０００２】
映像光を反射させて観察可能にする反射スクリーンでは、反射する映像光の中の正反射する成分が多いと、スクリーンの一部が他の部分よりも明るく見えるホットスポットと呼ばれる現象が生じやすい。このホットスポットを防止するためには、映像光を適度に拡散させて反射するとよい。
特許文献１には、反射スクリーンの反射面に凹面鏡のように作用する曲面状突起としてレンチキュラーレンズ形状を賦型して、光が拡散反射する方向及び範囲を必要な範囲に設定可能な技術が開示されている。
【０００３】
しかし、特許文献１に記載の反射スクリーンが有する凹面の曲率半径は、０．２〜３ｍｍ程度と記載されており、拡散効果を期待してレンチキュラーレンズ形状を形成すると、レンチキュラーレンズ形状の配列ピッチが大きくなってしまう。レンチキュラーレンズ形状の配列ピッチが大きくなると、レンチキュラーレンズ形状による筋状の線が目視で確認可能となってしまうという問題があった。
この筋状の線が視認できないようにするには、レンチキュラーレンズ形状の配列ピッチをより小さくすればよいが、そのような微細な加工を大型の反射スクリーンに対して行うことは、困難であった。
【特許文献１】特開平６−７５３０１号公報
【発明の開示】
【発明が解決しようとする課題】
【０００４】
本発明の課題は、外観品質がよく、光が拡散反射する方向及び範囲を必要な範囲に設定可能な反射シート、反射スクリーンを提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
請求項１の発明は、シート面に対して直交する方向の断面形状が半径０．０１ｍｍから０．１ｍｍの曲面部分を有した凹形状を含む表面の形状であって、シート面に対して直交するとともに前記断面と直交する方向に同一断面形状で延在し、前記断面と同一の方向に多数並べて配置された単位表面形状と、前記単位表面形状上に形成され、反射率を高める反射層（２２）と、を備える反射シート（２０，３０，４０，５０）である。
請求項２の発明は、請求項２に記載の反射シートにおいて、前記単位表面形状は、特定方向の光拡散性を他の方向よりも強めること、を特徴とする反射シート（２０，３０，４０，５０）である。
請求項３の発明は、請求項１又は請求項２に記載の反射シートにおいて、前記単位表面形状は、正弦波形状であること、を特徴とする反射シート（２０）である。
請求項４の発明は、請求項１から請求項３までのいずれか１項に記載の反射シートにおいて、前記反射層（２３）は、反射率が４０％以上の材料により形成されていること、を特徴とする反射シート（２０，３０，４０，５０）である。
請求項５の発明は、請求項１から請求項４までのいずれか１項に記載の反射シートにおいて、前記単位表面形状は、ローレット加工により作製された成形型（１００）を用いて成形されていること、を特徴とする反射シート（２０，３０，４０，５０）である。
請求項６の発明は、請求項１から請求項５までのいずれか１項に記載の反射シートにおいて、基材層（２１）と、前記基材層の表面に接合され、前記単位表面形状が賦型された賦型層（２２，３２，４２，５２）と、を有すること、を特徴とする反射シート（２０，３０，４０，５０）である。
請求項７の発明は、請求項６に記載の反射シートにおいて、前記賦型層（２２，３２，４２，５２）は、光硬化型樹脂により形成されていること、を特徴とする反射シート（２０，３０，４０，５０）である。
請求項８の発明は、映像源から投影された映像光を反射させて観察可能にする反射スクリーンであって、請求項１から請求項７までのいずれか１項に記載の反射シート（２０）と、前記反射シートの前記映像源側に接合される層であって、反射スクリーンに到達する光の一部を吸収する光吸収部（１３）を有した光吸収シート（１０）と、を備える反射スクリーン（１）である。
請求項９の発明は、請求項８に記載の反射スクリーンにおいて、前記反射シート（２０）と前記光吸収シート（１０）との間には、接着層（２５）が設けられていること、を特徴とする反射スクリーン（１）である。
請求項１０の発明は、請求項９に記載の反射スクリーンにおいて、前記接着層（２５）は、光線透過率が７０％以上であること、を特徴とする反射スクリーン（１）である。
請求項１１の発明は、請求項８から請求項１０までのいずれか１項に記載の反射スクリーンにおいて、前記光吸収シート（１０）は、前記光吸収部（１３）の間に形成され光を透過する光透過部（１２）を有し、前記光吸収部と前記光透過部とが交互に形成されており、前記光吸収部と前記光透過部とが交互に形成されて並ぶ方向は、前記単位表面形状が並べて配置される方向と直交する方向であること、を特徴とする反射スクリーン（１）である。
請求項１２の発明は、請求項１１に記載の反射スクリーンにおいて、前記光透過部（１２）は、スクリーン面に対して直交する断面において、裏面側における幅より前記映像源側における幅が広い略台形形状であって、スクリーン面に沿って多数並べて形成された単位プリズム形状であること、を特徴とする反射スクリーン（１）である。
請求項１３の発明は、請求項１１又は請求項１２に記載の反射スクリーンにおいて、前記光吸収部（１３）は、前記光透過部（１２）を形成する材料の屈折率よりも屈折率が低いこと、を特徴とする反射スクリーン（１）である。
【発明の効果】
【０００６】
本発明によれば、以下の効果を奏することができる。
（１）シート面に対して直交する方向の断面形状が半径０．０１ｍｍから０．１ｍｍの曲面部分を有した凹形状を含む表面の形状であって、シート面に対して直交するとともに断面と直交する方向に同一断面形状で延在し、断面と同一の方向に多数並べて配置された単位表面形状と、単位表面形状上に形成され、反射率を高める反射層とを備えるので、光を特定の方向及び範囲に拡散させることができ、ホットスポットなどを防止できる。また、表面の形状が微細であることから、不自然な縞状の模様などが視認されることもなく、外観品質のよい反射シートとすることができる。
【０００７】
（２）単位表面形状は、特定方向の光拡散性を他の方向よりも強めるので、反射スクリーン等に使用したときに、視域の制御を行いやすい。
【０００８】
（３）単位表面形状は、正弦波形状であるので、自然な拡散特性を得られる。
【０００９】
（４）反射層は、反射率が４０％以上の材料により形成されているので、反射スクリーン等に使用したときに、映像光の反射損失を少なくできる。
【００１０】
（５）単位表面形状は、ローレット加工により作製された成形型を用いて成形されているので、大型の反射シートとすることができる。
【００１１】
（６）基材層の表面に接合され、単位表面形状が賦型された賦型層を有するので、ローレット加工により作製された成形型を用いて容易に製造できる。
【００１２】
（７）賦型層は、光硬化型樹脂により形成されているので、ローレット加工により作製された成形型を用いて容易に製造できる。
【００１３】
（８）反射シートの映像源側に接合される層であって、反射スクリーンに到達する光の一部を吸収する光吸収部を有した光吸収シートを備えるので、不要な外光を吸収してコントラストの高い映像を表示できる。
【００１４】
（９）反射シートと光吸収シートとの間には、接着層が設けられているので、反射シートと光吸収シートとを別々に製造でき、反射スクリーンの製造を容易に行える。
【００１５】
（１０）接着層は、光線透過率が７０％以上であるので、映像光を無駄なく反射できる。
【００１６】
（１１）光吸収部と光透過部とが交互に形成されて並ぶ方向は、単位表面形状が並べて配置される方向と直交する方向であるので、光吸収部と光透過部とが交互に形成されて並ぶ方向において、不要な外光を効率よく吸収するとともに、単位表面形状が並べて配置される方向では、映像光を適度に拡散させることができる。
【００１７】
（１２）光透過部は、スクリーン面に対して直交する断面において、裏面側における幅より映像源側における幅が広い略台形形状であってスクリーン面に沿って多数並べて形成された単位プリズム形状であるので、映像光を必要な観察方向へ効率よく反射させることができる。
【００１８】
（１３）光吸収部は、光透過部を形成する材料の屈折率よりも屈折率が低いので、光透過部と光吸収部との境界面において、映像光を全反射することができ、反射損失を最小限とし、明るい映像を表示できる。
【発明を実施するための最良の形態】
【００１９】
外観品質がよく、光が拡散反射する方向及び範囲を必要な範囲に設定可能な反射シート、反射スクリーンを提供するという目的を、反射シートの単位表面形状の断面形状を、半径０．０１ｍｍから０．１ｍｍの円筒面部分を有した凹形状を含む表面の形状として、この形状をローレット加工を用いて簡単に製造可能な形態で実現した。
【実施例１】
【００２０】
図１は、実施例１における反射スクリーン１をスクリーンの使用状態における垂直方向断面で示した図である。
図２は、反射スクリーン１を裏面側から見た斜視図である。
なお、図１，２を含め、以下に示す各図は、説明のため各部寸法、形状などを適宜誇張して示している。特に図１は、室内照明Ｇ，映像源Ｌ，反射スクリーン１をまとめて模式的に示しているので、実際とは配置関係が異なり、各光線の入射角度などが後述の説明における大小関係と異なる部分が含まれている。
また、反射スクリーン１の映像源側（観察側）を表とし、その反対側を裏と呼ぶこととし、上、下とは、特に言及しない限り、図１に示すスクリーンの使用状態における上下を示すものとする。
実施例１における反射スクリーン１は、映像光を投影するプロジェクター光学エンジン部（映像源）Ｌからの映像光を効率よく観察者側へ反射し、上方からの不要光を選択的に後述の光吸収部１３により吸収させることで、非常にコントラストの高いフロントプロジェクタ用の反射スクリーンとしたものである。
【００２１】
反射スクリーン１は、光吸収シート１０，反射シート２０，接着層２５を備えており、光吸収シート１０と反射シート２０とを接着層２５により接着接合して形成されている。
光吸収シート１０は、光吸収シート基材層１１，単位プリズム形状１２，光吸収部１３，前面処理層１４を備えている。
【００２２】
光吸収シート基材層１１は、単位プリズム形状１２を形成するときに必要な基材となる部分であり、アクリル、ＰＣ（ポリカーボネイト）、ＰＥＴ（ポリエチレンテレフタレート）などの樹脂製のシート又はフィルムから形成される光透過性のある部分であり、実施例１では、アクリルを使用している。なお、この光吸収シート基材層１１には、必要に応じて所定の透過率に減じさせるようなグレー等の染料、顔料等で着色（ティント）が施されていてもよい。
【００２３】
単位プリズム形状１２は、図１の断面において、裏面側における幅より映像源側における幅が広い略台形形状となっている。単位プリズム形状１２は、スクリーン面に沿って（図１では上下方向となる垂直方向に）多数並べて形成されている。また、単位プリズム形状１２は、上下方向において上下対称な形状となっており、上方、及び、下方の斜面がスクリーン面の法線となす角度は、５°であり、頂部の幅が４０μｍ、谷底から頂部までの高さが２００μｍとなっている。また、単位プリズム形状１２は、屈折率１．５６の紫外線硬化樹脂により形成されている。なお、紫外線硬化樹脂に限らず、電離放射線硬化樹脂等の他の光硬化樹脂を用いてもよいし、アクリル、ポリエチレンテレフタレート樹脂等の熱可塑性樹脂を用いた熱溶融押し出し成型により行ってもよい。
ここで、スクリーン面とは、スクリーン全体として見たときにおけるスクリーンの平面方向となる面を示すものであり、以下の説明中、及び、特許請求の範囲においても同一の定義として用いている。また、後述するシート面とは、スクリーン面と同様に、シート全体として見たときにおけるスクリーンの平面方向となる面を示すものである。
【００２４】
光吸収部１３は、単位プリズム形状１２が並ぶ間に形成された光を吸収する作用を有した部分である。実施例１における光吸収部１３は、光を吸収する微小ビーズとして、平均粒径が６μｍである黒色顔料を含有する紫外線硬化樹脂（屈折率１．４９）をワイピング（スキージング）することにより、単位プリズム形状１２の間に充填し、紫外線を照射して形成されている。
【００２５】
前面処理層１４は、アンチグレア処理、反射防止処理、帯電防止処理、ハードコート処理、防汚処理等の各種表面処理が施される層であり、実施例１では、反射防止処理が施されている。なお、この前面処理層１４に施す処理は、必要に応じて適宜選択すればよい。
【００２６】
図３は、光吸収シート１０に接合される前の反射シート２０のみを反射層２３側から見た斜視図である。
反射シート２０は、反射シート基材層２１，賦型層２２，反射層２３を有している。
反射シート基材層２１は、賦型層２２を形成するときに必要な基材となる部分であり、ＰＥＴ，ＰＣ，ポリオレフィン，変性ポリオレフィン，アクリル，ＰＶＣ（ポリ塩化ビニル）などの樹脂製のシート又はフィルムから形成される。実施例１では、ＰＥＴ樹脂を使用している。
【００２７】
賦型層２２は、反射シート基材層２１の一面に設けられ、表面に単位表面形状が使用状態の水平方向に多数並んで配置された層である。実施例１の単位表面形状は、使用状態での水平方向断面における形状が略正弦波形状となっており、この略正弦波形状が略同一形状を保ち垂直方向に延在している。この正弦波形状の山及び谷を構成する曲面の半径は、半径０．０１ｍｍから０．１ｍｍの範囲内の寸法となっており、正弦波の周期、すなわち単位表面形状の並ぶピッチは、０．１ｍｍとなっている。
また、賦型層２２は、紫外線硬化樹脂や電離放射線硬化樹脂等の光硬化樹脂により形成されている。賦型層２２の形成方法については、後述する。
【００２８】
反射層２３は、賦型層２２の単位表面形状上に形成され、反射率を高める層である。実施例１では、アルミニウムを蒸着して形成している。なお、反射層の形成は、蒸着の他、各種コーティングにより行ってもよいが、反射層としては、４０％以上の反射率があることが、映像光の反射損失を少なくするため望ましい。本実施例の反射層２３の反射率は８５％である。
接着層２５は、光吸収シート１０と反射シート２０とを接着接合する接着剤により形成された層である。実施例１の接着層２５は、光線透過率が８７％のアクリル系接着層を使用している。なお、接着層の光線透過率は７０％以上あることが、映像光を効率よく反射するために望ましい。
【００２９】
ここで、実施例１の反射スクリーン１が映像光及び外光をどのように反射又は吸収するのかについて説明する。
まず、光吸収シート１０について、図１を参照して説明する。
光吸収シート１０では、図１に示すように映像源Ｌから投影される映像光線Ｌ１，Ｌ２は、単位プリズム形状１２内を進み光吸収部１３との境界面で全反射を行う。光吸収部１３の屈折率は、単位プリズム形状１２の屈折率よりも低く、したがって、この境界面において臨界角よりも大きな角度で入射する光は、全反射する。
そして、単位プリズム形状１２と光吸収部１３との境界面で全反射した映像光は、反射シート２０に到達して反射され、その後さらに全反射するなどして観察可能な光線として観察者側へ戻される。
【００３０】
一方、反射スクリーン１の上方に設けられた室内照明Ｇ等からの外光Ｇ１，Ｇ２は、光吸収シート１０に対する入射角度が大きいことから、単位プリズム形状１２と光吸収部１３との境界面における入射角度が小さくなり、臨界角を超えない成分が多く、全反射をすることなく光吸収部１３に入射して吸収される。したがって、外光が反射されて観察位置に到達する割合を非常に少なくすることができる。
【００３１】
次に、反射シート２０について説明する。
図４は、実施例１における反射スクリーン１をスクリーンの使用状態における水平方向断面で示した図である。なお、図４は、単位プリズム形状１２の位置で切断した状態を示している。
上述した光吸収シート１０は、使用状態における上下方向について光を制御する。しかし、使用状態における水平方向については、光学的には殆ど影響を与えない。これに対して、反射シート２０では、光吸収シート１０を通過してきた映像光を、水平方向で拡散させて反射させる。
【００３２】
反射シート２０の反射層２３は、賦型層２２の上に形成されているので、この賦型層２２に賦型されている単位表面形状に沿って波打つような形態で形成されている。また、単位表面形状は、使用状態の水平方向に多数並んでおり、水平方向断面における略正弦波形状が略同一形状を保ち垂直方向に延在しているので、反射層２３に到達した映像光は、垂直方向では殆ど拡散されることなく反射されるが、水平方向では拡散されて反射される。
【００３３】
反射スクリーン１に実際に映像光を投影すると、投影画像については高い反射率を有し、外光については十分に吸収することができた。また、反射シート２０が水平方向に映像光を拡散反射するので、ホットスポットを生じることもなく、水平方向の視野角も広くできた。
【００３４】
次に、実施例１の反射スクリーン１の製造方法について説明する。
まず、光吸収シート１０の製造方法を説明する。
（単位プリズム形状賦型工程）
紫外線硬化樹脂を光吸収シート基材層１１上に塗布して、型を当てつけた状態において紫外線を照射して硬化させることにより単位プリズム形状１２を賦型する。
なお、単位プリズム形状１２の形成は、光硬化樹脂を用いた形成ではなく、アクリル、ＰＥＴ（ポリエチレンテレフタレート）樹脂などを用いた熱溶融押出し成型により行ってもよい。
【００３５】
（光吸収部形成工程）
単位プリズム形状賦型工程に続いて、単位プリズム形状１２の間に、光を吸収する微小ビーズとして、平均粒径が６μｍである黒色顔料を含有する紫外線硬化樹脂（屈折率１．４９）をワイピング（スキージング）することにより、単位プリズム形状１２の間に充填し、紫外線を照射して光吸収部１３を形成する。
【００３６】
（前面処理層形成工程）
最後に、前面側の最表面に前面処理層１４を形成した。実施例１では、反射防止処理の施されている反射防止シートをラミネート加工することにより、前面処理層１４とした。
以上の各工程を行うことにより、光吸収シート１０を得た。
【００３７】
上述の光吸収シート１０とは別に、反射シート２０を作製する。
（賦型層形成工程）
図５は、賦型層２２を形成する賦型層形成工程を示す図である。
はじめに、紫外線硬化樹脂を反射シート基材層２１上に塗布して、成形型１００を当てつけた状態において紫外線を光源Ｌから照射して硬化させることにより単位表面形状が賦型された賦型層２２を形成する。なお、成形型１００は、全体としてみると略円柱形状となっており、その円柱面には、賦型層２２の単位表面形状に対応する微細な成形型表面形状が多数形成されている。そして、この成形型表面形状は、成形型１００の長手方向に同一断面形状で形成されている。
【００３８】
この方向に成形型表面形状を形成する理由について説明する。
反射スクリーン１は、一般的な使用状態では、垂直方向の寸法より水平方向の寸法が長い。よって、反射シート２０も同様に水平方向の寸法が垂直方向の寸法より長くなっている。縦横比の異なるシートを成形するときには、シートの長手方向に送りながら成形する方が、使用する金型の幅を狭くでき、製造装置全体の大型化を避けられるので望ましい。
また、反射シート２０の単位表面形状は、反射スクリーン１の使用状態において水平方向で光を拡散させるために、同一断面形状が垂直方向に延在している。
そうすると、成形型表面形状は、成形型１００の長手方向に同一断面形状で形成することにより、必要な賦型層２２の単位表面形状を成形可能な成形型１００の全長を短くでき、製造装置全体の大型化を避けられる。
このような理由から、実施例１では、賦型層２２の成形型表面形状は、成形型１００の長手方向に同一断面形状で形成されている。
【００３９】
（反射層形成工程）
単位表面形状を形成した後、賦型層２２の全面にアルミニウムを蒸着させて反射層２３を形成した。
なお、反射層は、この他に、アルミニウム以外の金属（銀、クロムなど、反射率の高い金属を用いることが望ましい）を用いた蒸着により形成してもよい。また、反射層は、蒸着に限らず、スクリーン印刷、コンマコート、インクジェットによる塗布等により形成してもよい。
さらに、反射層２３の形成に用いる塗料としては、シルバー色が適しているが、これ以外にも、塗装後の表面がマット状となるつや消しの白色系の塗料、塗装後の表面の写りこみの大きい（テカリの強い）グロス白系の塗料、銀色系（メタリック）の塗料、パール系塗料、マイカ（雲母）やビーズを適宜混入させた塗料を使用してもよい。これらを適宜使い分けることにより、観察領域や輝度、光源の映り込み防止効果等を制御することができる。
以上の各工程を行うことにより、反射シート２０を得た。
【００４０】
ここで、賦型層形成工程において賦型層２２の形成に使用される成形型の製造方法について説明する。
先に述べたように、成形型表面形状は、成形型１００の長手方向に同一断面形状で形成されている。従って、従来から行われているような切削加工によって、成形型１００を切削しようとすると、成形型の素材となる円柱形状の材料を長手方向に切削工具を移動させながら加工を行うこととなる。しかし、そのような加工を行うと、材料の長手方向の中央付近では、材料が撓むことにより切削工具から逃げてしまい、単純な加工方法では、精度の高い成形型表面形状を有した成形型を作製できなかった。また、精度の高い成形型表面形状を有した成形型とするには、非常に長い加工時間が必要であった。
【００４１】
また、賦型層２２に賦型する単位表面形状は、上述のように、正弦波形状の山及び谷を構成する曲面の半径が、半径０．０１ｍｍから０．１ｍｍの範囲内の寸法となっており、単位表面形状の並ぶピッチは、０．１ｍｍとなっている。このような微細な形状を加工するためには、非常に高い加工精度が要求されることとなるが、上述のように、従来の切削加工では、高精度の加工ができなかった。
【００４２】
そこで、実施例１では、成形型１００の製造を、ローレット加工により行うこととした。ローレット加工によれば、大型の成形型であっても、容易にかつ精度よく成形型の作製を行える。
ローレット加工では、ローレット加工に使用する型（以下、ローレット型）を使用するが、このローレット型には、成形型に形成する予定の微細な成形型表面形状に対応する形状、すなわち、賦型層２２の単位表面形状に対応する形状（ローレット型表面形状）を形成する必要がある。しかし、実施例１の賦型層２２の単位表面形状は、上述のように、曲面の半径は、半径０．０１ｍｍから０．１ｍｍの範囲内の寸法となっており、単位表面形状の並ぶピッチは、０．１ｍｍであり、このような微細な形状を精度よく作製することは、従来の切削加工では困難であった。
【００４３】
そこで、実施例１では、ローレット型の加工を、ワイヤー放電加工により行った。
図６は、実施例１のローレット型２００の加工状態を示す図である。
ローレット型２００は、半径が０．０１ｍｍから０．１ｍｍの範囲の放電用のワイヤー３００を使用し、加工液中でワイヤー３００を移動制御させながら、ローレット型２００の素材との間に電圧を加えて、アーク放電を行うことにより、ローレット型表面形状の加工を行うことで作製される。
ローレット型２００の加工を、ワイヤー放電加工により行うことにより、所望のローレット型表面形状の加工を精度よく、かつ、簡単に行える。
【００４４】
図７は、実施例１の成形型１００の加工状態を示す図である。
成形型１００の素材に対して、ローレット型２００を押し当てながら両者の回転角速度を合わせて回転させる。また、上述の回転を行いながら、成形型１００の素材に対して、ローレット型２００を軸方向に相対的に移動させることにより、成形型１００の素材の一端部側から順次加工を行い、成形型表面形状が賦型される。
なお、成形型表面形状の賦型後は、必要な熱処理、表面処理などが行われて、成形型が完成する。
【００４５】
このように、実施例１によれば、コントラストが高く、高輝度であって映り込みやホットスポットのない画像を得ることができ、また、この反射スクリーン１，反射シート２０，成形型１００，ローレット型２００は、上述したように容易に製造することができる。
【実施例２】
【００４６】
実施例２は、実施例１の反射シート２０の賦型層２２の形状を変更した例である。従って、前述した実施例１と同様の機能を果たす部分には、同一の符号を付して、重複する説明を適宜省略する。
図８は、実施例２の反射シート３０等を示す図である。図８（ａ）は、先に示した実施例１の反射シート２０を示し、図８（ｂ）は、実施例２の反射シート３０を示し、図８（ｃ），図８（ｄ）は、その他の形態の反射シートを示している。なお、図８では、反射層を省略して示している。
【００４７】
先に示した実施例１の反射シート２０は、賦型層２２の単位表面形状は、略正弦波形状であり、反射スクリーン１の使用状態における水平方向で対称な形状となっていた。これに対して、実施例２の反射シート３０では、賦型層３２の単位表面形状は、水平方向で非対称な形状となっている。このようにすることにより、反射スクリーンの使用状態における水平方向の拡散を、指向性の強いものとできる。従って、光源の位置や観察位置が正面にないような使い方をする場合には、より使用条件に適した水平方向の拡散特性を付与できる。
【００４８】
また、この実施例２に示した例に限らず、例えば、図８（ｃ）に示すように平面と曲面とを組み合わせた単位表面形状を有した賦型層４２を持つ反射シート４０としてもよいし、図８（ｄ）に示すように不連続な曲線を組み合わせた単位表面形状を有した賦型層５２を持つ反射シート５０としてもよい。
【００４９】
（変形例）
以上説明した実施例に限定されることなく、種々の変形や変更が可能であって、それらも本発明の均等の範囲内である。
各実施例において、反射シートは、光吸収シートと組み合わせて使用される例を示したが、これに限らず、他の種類のシートと組み合わせて使用してもよいし、単体で使用してもよい。
【図面の簡単な説明】
【００５０】
【図１】実施例１における反射スクリーン１をスクリーンの使用状態における垂直方向断面で示した図である。
【図２】反射スクリーン１を裏面側から見た斜視図である。
【図３】光吸収シート１０に接合される前の反射シート２０のみを反射層２３側から見た斜視図である。
【図４】実施例１における反射スクリーン１をスクリーンの使用状態における水平方向断面で示した図である。
【図５】賦型層２２を形成する賦型層形成工程を示す図である。
【図６】実施例１のローレット型２００の加工状態を示す図である。
【図７】実施例１の成形型１００の加工状態を示す図である。
【図８】実施例２の反射シート３０等を示す図である。
【符号の説明】
【００５１】
１０  光吸収シート
１１  光吸収シート基材層
１２  単位プリズム形状
１３  光吸収部
１４  前面処理層
２０，３０，４０，５０  反射シート
２１  反射シート基材層
２２，３２，４２，５２  賦型層
２３  反射層
２５  接着層
１００  成形型
２００  ローレット型
３００  ワイヤー
【図１】
2008046205.tif 000003
【図２】
2008046205.tif 000004
【図３】
2008046205.tif 000005
【図４】
2008046205.tif 000006
【図５】
2008046205.tif 000007
【図６】
2008046205.tif 000008
【図７】
2008046205.tif 000009
【図８】
2008046205.tif 000010